(57)【要約】【課題】放熱性能を確保しつつ軽量化できる照明ユニットを提供する。【解決手段】照明ユニットＳＵ２は、ヒートシンク６と、回路基板２１ｂと、を備えている。回路基板２１ｂは、複数の発光部２１ａが設けられている。ヒートシンク６は、第１主面６１ｓ及び第２主面６１ｋを有する。第２主面６１ｋは、第１主面６１ｓの反対側に配置されている。ヒートシンク６は、ベース部６１と、複数の放熱フィン６２と、を有する。ベース部６１は、第１主面６１ｓに回路基板２１ｂが配置されている。複数の放熱フィン６２は、第２主面６１ｋから突出されている。ベース部６１は、厚肉部と、薄肉部と、を有する。前記厚肉部は、第１主面６１ｓに垂直な方向の厚さが相対的に大きい。前記薄肉部は、厚さが相対的に小さい。【選択図】図３
2020004667.tif 000002
【特許請求の範囲】
【請求項１】
ヒートシンクと、
複数の発光部が設けられた回路基板と、を備え、
前記ヒートシンクは、
第１主面及び前記第１主面の反対側に配置された第２主面を有し、前記第１主面に前記回路基板が配置されたベース部と、
前記第２主面から突出された複数の放熱フィンと、を有し、
前記ベース部は、
前記第１主面に垂直な方向の厚さが相対的に大きい厚肉部と、
前記厚さが相対的に小さい薄肉部と、を有する
照明ユニット。
【請求項２】
前記回路基板を前記ヒートシンクとの間で挟み込んで固定する固定カバーを更に備え、
前記固定カバーは、前記ベースの前記第１主面に固定され、
前記ベース部は、前記固定カバーが固定されるカバー固定部を有し、
前記カバー固定部は、前記ベース部の前記厚肉部に設けられた
請求項１に記載の照明ユニット。
【請求項３】
前記複数の放熱フィンのうちの少なくとも一部の放熱フィンは、前記ベース部の前記厚肉部から突出された
請求項１又は２に記載の照明ユニット。
【請求項４】
前記固定カバーは、
固定カバー本体と、
前記固定カバー本体の周縁部に設けられ、前記ベース部の前記カバー固定部に固定される固定部と、を有する
請求項２又は３に記載の照明ユニット。
【請求項５】
前記固定カバーの前記表面は、
互いに対向する２つの対辺と、
前記２つの対辺の各々の一端部と接続する接続辺と、を有し、
前記固定カバーの前記固定部は、前記固定カバーにおける前記２つの対辺の側の縁部に設けられ、
前記固定カバーは、前記表面の前記接続辺に沿って設けられたリブを更に有する
請求項４に記載の照明ユニット。
【請求項６】
前記固定部を第１固定部とし、
前記固定カバーは、
前記複数の発光部を露出する複数の窓孔と、
前記複数の窓孔の間に設けられ、前記ベース部の前記カバー固定部に固定される第２固定部と、を更に有する
請求項５に記載の照明ユニット。
【請求項７】
前記固定カバーは、前記固定部から前記固定カバーの表面側に突出された突出部を有する
請求項４〜６の何れかの１項に記載の照明ユニット。
【請求項８】
前記突出部を第１突出部とし、
前記固定カバーは、前記固定カバーの中央に、前記固定カバーの前記表面の側に突出された第２突出部を更に有する
請求項７に記載の照明ユニット。
【請求項９】
前記固定カバーにおける前記表面の側に配置され、前記複数の発光部の各々が発した光を制御する光制御部材を更に備え、
前記光制御部材は、
前記固定カバーの前記第１突出部に嵌る第１位置決め部と、
前記固定カバーの前記第２突出部に嵌る第２位置決め部と、を有する
請求項８に記載の照明ユニット。
【請求項１０】
請求項１〜９の何れかの１項に記載の照明ユニットと、
前記照明ユニットを支持する支持部材と、備えた
照明器具。
【発明の詳細な説明】
【技術分野】
【０００１】
本開示は、照明ユニット及び照明器具に関し、より詳細には、ヒートシンクを備えた照明ユニット及び照明器具に関する。
【背景技術】
【０００２】
特許文献１に記載の照明器具は、ＬＥＤ基板で発生した熱を放熱する放熱ブロック（ヒートシンク）を備えている。放熱ブロックは、ベース部と、ベース部から突出された複数の放熱フィンとを備えている。
【先行技術文献】
【特許文献】
【０００３】
【特許文献１】特開２０１７−４５６１９号公報
【発明の概要】
【発明が解決しようとする課題】
【０００４】
特許文献１に記載の照明器具では、放熱ブロックのベース部の厚さは、一定である。このため、照明器具の軽量化のためにベース部の厚さを小さくすると、放熱ブロックの熱容量が低下して放熱ブロックの放熱性能が低下する。他方、放熱ブロックの放熱性能を向上させるために、ベース部の厚さを大きくすると、照明器具の軽量化が困難になる。
【０００５】
本開示は、上記の問題に鑑みてなされたものであり、放熱性能を確保しつつ軽量化できる照明ユニット及び照明器具を提供することを目的とする。
【課題を解決するための手段】
【０００６】
本開示の一態様に係る照明ユニットは、ヒートシンクと、回路基板と、を備えている。前記回路基板は、複数の発光部が設けられている。前記ヒートシンクは、第１主面及び第２主面を有する。前記第２主面は、前記第１主面の反対側に配置されている。前記ヒートシンクは、ベース部と、複数の放熱フィンと、を有する。前記ベース部は、前記第１主面に前記回路基板が配置されている。前記複数の放熱フィンは、前記第２主面から突出されている。前記ベース部は、厚肉部と、薄肉部と、を有する。前記厚肉部は、前記第１主面に垂直な方向の厚さが相対的に大きい部分である。前記薄肉部は、前記厚さが相対的に小さい部分である。
【０００７】
本開示の一態様に係る照明器具は、照明ユニットと、支持部材と、を備えている。前記照明ユニットは、上記の一の態様に記載の照明ユニットである。前記支持部材は、前記照明ユニットを支持する。
【発明の効果】
【０００８】
本開示に係る照明ユニット及び照明器具は、放熱性能を確保しつつ軽量化できる、という効果を有する。
【図面の簡単な説明】
【０００９】
【図１】図１は、実施形態に係る照明器具を前側から見た斜視図である。
【図２】図２は、同上の照明器具を後側から見た斜視図である。
【図３】図３は、照明ユニットを示す分解斜視図である。
【図４】図４Ａは、固定カバーを前側から見た斜視図である。図４Ｂは、固定カバーを後側から見た斜視図である。
【図５】図５は、ヒートシンクの前面に固定カバーが配置された状態を示す正面図である。
【図６】図６Ａは、光制御部材を前側から見た斜視図である。図６Ｂは、光制御部材を後側から見た斜視図である。
【図７】図７は、ヒートシンクの前面を示す平面図である。
【図８】図８Ａは、図１のＡ−Ａ断面図である。図８Ｂは、図８Ａの部分拡大図である。
【図９】図９は、ヒートシンクの前面に光源ユニットが固定された状態を示す斜視図である。
【図１０】図１０は、支持部材を分解した部分分解斜視図である。
【発明を実施するための形態】
【００１０】
（実施形態）
本実施形態に係る照明ユニットＳＵ２及び照明器具１について、図面を参照して詳細に説明する。照明器具１は、例えば、各種の競技場（サッカースタジアムなど）、学校の運動場又は駐車場を照明（投光照明）する用途に用いられる投光器である。なお、本実施形態で説明する構成は、本発明の一例にすぎない。本発明は、本実施形態に限定されず、本発明に係る技術的思想を逸脱しない範囲であれば、設計等に応じて種々の変更が可能である。
【００１１】
なお、以下の説明では、特に断りの無い限り、図１において、照明器具１の前後、左右、上下の各方向を規定する。すなわち、照明器具１におけるカバー３側を前とし、照明器具１におけるヒートシンク６側を後とする。また、照明器具１の正面から見て上側を上とし、下側を下とし、左側を左とし、右側を右とする。
【００１２】
本実施形態に係る照明器具１は、図１及び図２に示すように、複数（例えば２つ）の照明ユニットＳＵ１，ＳＵ２と、連結部材１１０と、支持部材８と、電源ボックス１８と、結線ボックス１９と、落下防止ワイヤー２０と、を備えている。
【００１３】
（照明ユニットＳＵ２）
照明ユニットＳＵ２は、図３に示すように、複数（例えば２つ）の光源ユニット２と、１つのカバー３と、１つの防水パッキン４と、１つの押え部材５と、１つのヒートシンク６と、を備えている。なお、光源ユニット２の数は、２つに限定されず、１つでも３つ以上でもよい。カバー３、防水パッキン４及び押え部材５の各々の数も、１つに限定されず、２つ以上でもよい。以下、２つの光源ユニット２を区別するときは、光源ユニット２Ｌ，２Ｒと記載する。
【００１４】
２つの光源ユニット２Ｌ，２Ｒは、照明ユニットＳＵ２の２つの光源を構成する。２つの光源ユニット２Ｌ，２Ｒは、ヒートシンク６の前面６１ｓにおいて、例えば左右に並んで配置されている。各光源ユニット２Ｌ，２Ｒはそれぞれ、発光モジュール２１と、固定カバー２２と、熱伝導シート２３と、光制御部材２４と、を備えている。
【００１５】
発光モジュール２１は、複数の発光部２１ａと、回路基板２１ｂと、を有する。各発光部２１ａは、例えば、白色光を放射する白色発光ダイオード（発光素子）である。回路基板２１ｂは、例えば、アルミニウム又はアルミ合金製の基板の表面に絶縁膜を介して導電体（銅箔）が形成されたアルミ基板で構成されている。回路基板２１ｂは、例えば矩形平板状である。複数の発光部２１ａは、回路基板２１ｂの前面に設けられ、かつ、回路基板２１ｂの前面に形成された導電体によって電気的に接続されている。複数の発光部２１ａは、回路基板２１ｂの前面において縦横に並んで配置されている。回路基板２１ｂは、中央の左右両側の位置に、開口部２１ｃが設けられている。
【００１６】
熱伝導シート２３は、発光モジュール２１で発生した熱を回路基板２１ｂからヒートシンク６へ効率良く伝導させるための部材である。熱伝導シート２３は、電気絶縁性と熱伝導性とを有する。熱伝導シート２３は、例えば矩形のシート状に形成されている。熱伝導シート２３の平面サイズは、発光モジュール２１の平面サイズ（すなわち回路基板２１ｂの平面サイズ）と同程度のサイズである。熱伝導シート２３の中央の左右両側の位置（すなわち回路基板の２つの開口部２１ｃに対向する位置）には、開口部２３ｃが設けられている。
【００１７】
熱伝導シート２３は、発光モジュール２１とヒートシンク６との間に介在するように配置されている。熱伝導シート２３は、発光モジュール２１の後面（すなわち回路基板２１ｂの後面）とヒートシンク６の前面との両方に接触している。熱伝導シート２３は、例えば、エラストマー材料で形成されてもよいし、シリコーンゲルで形成されてもよいし、フィラーを含有させたアクリル樹脂で形成されてもよい。
【００１８】
固定カバー２２は、発光モジュール２１及び熱伝導シート２３を、ヒートシンク６との間で挟み込んで固定する部材である。固定カバー２２は、発光モジュール２１の前面に配置されている。固定カバー２２によって、発光モジュール２１及び熱伝導シート２３がヒートシンク６の前面６１ｓに固定される。また、固定カバー２２は、光制御部材２４を位置決めする部材としても機能する。
【００１９】
固定カバー２２は、図４Ａに示すように、固定カバー本体２２ａと、複数（例えば６つ）の第１固定部２２ｂ（固定部）と、複数（例えば２つ）の第２固定部２２ｃと、複数（例えば４つ）の第１突出部２２ｄと、第２突出部２２ｅとを有する。また、固定カバー２２は、リブ２２ｆと、複数（例えば２つ）のケーブル押え部２２ｇと、複数（例えば４つ）の窓孔２２ｉと、窓孔２２ｊとを有する。
【００２０】
固定カバー本体２２ａは、例えば矩形の板状である。固定カバー本体２２ａは、例えば樹脂（例えばＰＢＴ（ポリブチレンテレフタレート）樹脂）で形成されている。固定カバー本体２２ａの平面サイズは、回路基板２１ｂよりも一回り大きいサイズである。固定カバー２２は、前面２２ｍと、後面２２ｗとを有する。後面２２ｗは、固定カバー本体２２ａにおける前面２２ｍとは反対側の主面である。前面２２ｍ及び後面２２ｗは、互いに同形同大である。
【００２１】
固定カバー本体２２ａの前面２２ｍ（表面）は、例えば略矩形状であり、上辺Ｈ１、下辺Ｈ２、左辺Ｈ３及び右辺Ｈ４を有する。上辺Ｈ１及び下辺Ｈ２は、互いに対向した２つの対辺を構成する。右辺Ｈ４、上辺Ｈ１及び下辺Ｈ２の各々の一端部（例えば右端部）と接続された接続辺である。左辺Ｈ３は、上辺Ｈ１及び下辺Ｈ２（すなわち２つの対辺）の各々の他端部（例えば左端部）と接続された接続辺である。後述のように、固定カバー本体２２ａの各辺Ｈ１〜Ｈ４側の縁部に、複数の第１固定部２２ｂ、複数の第１突出部２２ｄ、複数のケーブル押え部２２ｇ、リブ２２ｆが設けられている。
【００２２】
複数の窓孔２２ｉは、発光モジュール２１の複数の発光部２１ａと１対１に対応し、対応する発光部２１ａを露出する開口部である。各窓孔２２ｉは、例えば円形である。複数の窓孔２２ｉは、固定カバー本体２２ａの前面２２ｍにおいて、例えば縦横に並んで配置されている。
【００２３】
窓孔２２ｊは、発光モジュール２１の回路基板２１ｂに実装された外部端子（図示省略）を露出する開口部である。窓孔２２ｉは、固定カバー本体２２ａの前面２２ｍの例えば左辺側縁部の中央に設けられている。
【００２４】
複数の第１固定部２２ｂは、固定カバー本体２２ａにおいて、ヒートシンク６（より詳細には後述の第１カバー固定部６１ａ）に固定される部分である。複数の第１固定部２２ｂは、固定カバー本体２２ａの周縁部に沿って互いに間隔を空けて設けられている。各第１固定部２２ｂは、固定カバー本体２２ａの前面２２ｍと後面２２ｗとの間の部分である。より詳細には、複数の第１固定部２２ｂは、固定カバー本体２２ａの上辺Ｈ１側の縁部及び下辺Ｈ２側の縁部（すなわち２つの対辺の側の縁部）に沿って設けられている。固定カバー本体２２ａの上辺Ｈ１側の縁部には、例えば３つの第１固定部２２ｂが設けられ、固定カバー本体２２ａの下辺Ｈ２側の縁部には、例えば３つの第１固定部２２ｂが設けられている。
【００２５】
更に詳細には、固定カバー本体２２ａの前面２２ｍの上辺Ｈ１側の縁部には、例えば左右両端部に、段差凹部２２ｎが設けられている。各段差凹部２２ｎは、固定カバー本体２２ａの前面２２ｍに対して段差状に窪んだ凹部である。段差凹部２２ｎの上辺Ｈ１側の一側面は、例えば、固定カバー本体２２ａの上辺Ｈ１側の側面で開放している。固定カバー本体２２ａの上辺Ｈ１側の縁部に設けられた複数（例えば３つ）の第１固定部２２ｂのうち、一部（例えば左右両側の２つ）の第１固定部２２ｂはそれぞれ、上記の段差凹部２２ｎの底面の所定位置（例えば中央）に配置されている。
【００２６】
同様に、固定カバー本体２２ａの前面２２ｍの下辺Ｈ２側の縁部にも、例えば左右両端に、段差凹部２２ｎが設けられている。固定カバー本体２２ａの下辺Ｈ２側の縁部に設けられた複数（例えば３つ）の第１固定部２２ｂのうち、一部（例えば左右両側の２つ）の第１固定部２２ｂはそれぞれ、上記の段差凹部２２ｎの底面の所定位置（例えば中央）に設けられている。複数の第１固定部２２ｂの各々には、貫通孔２２ｐが設けられている。各貫通孔２２ｐは、第１固定部２２ｂをヒートシンク６に固定（締結）するためのねじが通される孔であり、固定カバー本体２２ａの厚さ方向に貫通している。
【００２７】
複数の第２固定部２２ｃは、固定カバー本体２２ａにおいて、ヒートシンク６（より詳細には第２カバー固定部６１ｂ）に固定される部分である。複数の第２固定部２２ｃは、固定カバー本体２２ａにおいて、複数の窓孔２２ｉの間の所定部位に設けられている。各第２固定部２２ｃは、固定カバー本体２２ａの前面２２ｍと後面２２ｗとの間の部分である。より詳細には、複数の第２固定部２２ｃは、固定カバー本体２２ａにおける中央の左右両側の部位に設けられている。各第２固定部２２ｃには、貫通孔２２ｑが設けられている。各貫通孔２２ｑは、第２固定部２２ｃをヒートシンク６に固定（締結）するためのねじが通される孔であり、固定カバー本体２２ａの厚さ方向に貫通している。
【００２８】
複数の第１突出部２２ｄは、光制御部材２４を位置決めする部分である。各第１突出部２２ｄは、固定カバー２２の第１固定部２２ｂから前面２２ｍ側に突出している。より詳細には、複数（例えば４つ）の第１突出部２２ｄは、複数（例えば６つ）の第１固定部２２ｂのうちの例えば４つの第１固定部２２ｂと１対１に対応し、対応する第１固定部２２ｂから前面２２ｍ側に突出している。各第１突出部２２ｄは、貫通孔２２ｒを有する筒状であり、対応する第１固定部２２ｂから前面２２ｍ側に突出している。貫通孔２２ｒは、第１突出部２２ｄの突出方向に貫通しており、対応する第１固定部２２ｂの貫通孔２２ｐと連結している。
【００２９】
各第１突出部２２ｄはそれぞれ、例えば、半円柱形部分２２ｄ１と、直方体形部分２２ｄ２とを有する。半円柱形部分２２ｄ１は、第１突出部２２ｄの片側半分を構成し、段差凹部２２ｎの底面の中央に配置されている。直方体形部分２２ｄ２は、第１突出部２２ｄの残りの片側半分を構成し、半円柱形部分２２ｄ１と段差凹部２２ｎの開放側面との間に配置されている。第１突出部２２ｄの貫通孔２２ｒは、半円柱形部分２２ｄ１に設けられている。
【００３０】
第２突出部２２ｅは、複数の第１突出部２２ｄと共に、光制御部材２４を位置決めする部分である。複数の第１突出部２２ｄによって、光制御部材２４が概略的に位置決めされ、第２突出部２２ｅによって、光制御部材２４が精度良く位置決めされる。第２突出部２２ｅは、固定カバー本体２２ａの前面２２ｍの所定位置（例えば中央）に設けられており、固定カバー本体２２ａから前面２２ｍ側に突出している。第２突出部２２ｅは、例えば、中心穴２２ｓを有する筒状である。中心穴２２ｓの直径は、中心穴２２ｓの奥ほど小さくなっている。すなわち、中心穴２２ｓは、中心穴２２ｓの奥ほど直径が小さくなる円錐台形の穴である。中心穴２２ｓの奥は、固定カバー本体２２ａで塞がれている。
【００３１】
リブ２２ｆは、固定カバー本体２２ａの強度を向上させる部材である。リブ２２ｆは、固定カバー本体２２ａの前面２２ｍにおいて、左辺Ｈ３及び右辺Ｈ４のうちの一方の辺（図４Ａでは右辺Ｈ４）に沿って設けられており、前方側に突出している。なお、リブ２２ｆは、固定カバー本体２２ａの前面２２ｍの左辺Ｈ３及び右辺Ｈ４のうち、他方の光源ユニット２の側とは反対側の辺に設けられている。すなわち、左側の光源ユニット２Ｌの固定カバー２２では、リブ２２ｆは、前面２２ｍの左辺Ｒ３に沿って設けられている。右側の光源ユニット２Ｒの固定カバー２２では、リブ２２ｆは、前面２２ｍの右辺Ｒ４に沿って設けられている。
【００３２】
複数（例えば２つ）のケーブル押え部２２ｇは、窓孔２２ｊから露出された外部端子に接続されたコネクタＣ１からのケーブルＫ１を押える部分である（図５参照）。２つのケーブル押え部２２ｇは、固定カバー本体２２ａの前面２２ｍの左辺Ｈ３及び右辺Ｈ４のうちの一方の辺（例えばリブ２２ｆが設けられていない辺（図４Ａでは左辺Ｈ３））に沿って配置されている。
【００３３】
２つのケーブル押え部２２ｇは、窓孔２２ｊの上下両側に分かれて配置されている。２つのケーブル押え部２２ｇの各々と中心ＣＬ１との間隔ｕ１は、互いに異なっている。中心ＣＬ１は、固定カバー本体２２ａにおける上下方向の中心である。図５に示すように、２つの光源ユニット２Ｌ，２Ｒの各々の固定カバー２２は、それらの２つのケーブル押え部２２ｇが互いに向き合うように、互いに１８０度回転した配置で、配置されている。上記のように、２つのケーブル押え部２２ｇの各々と中心ＣＬ１との間隔ｕ１が互いに異なることで、２つの光源ユニット２Ｌ，２Ｒの各々の固定カバー２２の２つのケーブル押え部２２ｇは、互いに干渉することなく、上下方向に互い違いに配置可能である。
【００３４】
固定カバー２２は、図４Ｂに示すように、固定カバー本体２２ａの後面に、収容凹部２２ｔと、複数（例えば２つ）の位置決め突部２２ｕと、複数（例えば２つ）の段差突部２２ｖとを有する。
【００３５】
収容凹部２２ｔは、発光モジュール２１及び熱伝導シート２３が収容される部分である。収容凹部２２ｔの平面形状は、熱伝導シート２３と同形同大の矩形状である。収容凹部２２ｔの深さは、熱伝導シート２３及び発光モジュール２１の各々の厚さを合計した厚さと同程度の大きさ、または、上記の合計した厚さよりも小さい大きさである。
【００３６】
２つの位置決め突部２２ｕは、ヒートシンク６の前面６１ｓでの固定カバー２２の位置を位置決めする部分である。２つの位置決め突部２２ｕは、固定カバー本体２２ａの後面から後方に突出している。２つの位置決め突部２２ｕは、固定カバー本体２２ａの後面の周縁部（すなわち収容凹部２２ｔの外周）において、互いに間隔を空けて配置されている。例えば、２つの位置決め突部２２ｕは、固定カバー本体２２ａの後面の上辺側縁部の右端部、及び、下辺側縁部の左端部に１つずつ配置されている。
【００３７】
２つの段差突部２２ｖは、発光モジュール２１の２つの開口部２１ｃに嵌ることで、収容凹部２２ｔ内での発光モジュール２１の位置を位置決めする部分である。２つの段差突部２２ｖは、収容凹部２２ｔの底面において、例えば中央の左右両側の部位（すなわち２つの開口部２１ｃに対向する位置）に配置されており、収容凹部２２ｔの底面の正面側に突出している。
【００３８】
光制御部材２４は、複数の発光部２１ａの各々が発した光を制御する光学部材であり、例えば、複数の発光部２１ａの各々が発した光を個別に集光するレンズ部材である。
【００３９】
光制御部材２４は、図６Ａ及び図６Ｂに示すように、複数のレンズ２６と、連結部２７と、位置決め部２８（第２位置決め部）と、複数（例えば４つ）の支持部２９と、を有する。複数のレンズ２６、連結部２７、位置決め部２８、及び複数の支持部２９は、アクリル樹脂などの透光性を有する合成樹脂によって一体に形成されている。なお、各支持部２９の後述の切欠部２９ｃは、固定カバー２２の第１突出部２２ｄに嵌る第１位置決め部として機能している。
【００４０】
各レンズ２６は、発光部２１ａが発した光を集光する部材である。複数のレンズ２６は、複数の発光部２１ａと１対１に対応し、対応する発光部２１ａの前側に配置されている。各レンズ２６は、例えばコリメートレンズである。各レンズ２６では、発光部２１ａが発した光は、レンズ２６の後端部からレンズ２６に入射し、レンズ２６の前面から射出される。
【００４１】
連結部２７は、複数のレンズ２６を連結する部材である。連結部２７は、例えば矩形の板状である。連結部２７の後面に複数のレンズ２６の前面が連結されている。複数のレンズ２６は、連結部２７の後面から後方に突出されている。
【００４２】
位置決め部２８は、固定カバー２２の第２突出部２２ｅと嵌り合うことで、光制御部材２４と固定カバー２２との相対的な位置を位置決めする部分である。位置決め部２８は、連結部２７の後面の例えば中央に設けられ、後方に突出している。位置決め部２８は、例えば円柱形である。位置決め部２８の先端部２８ａは、先端ほど細くなる円錐台形状であり、固定カバー２２の突出部２２ｅの中心穴２２ｓに嵌め合わせ可能である。
【００４３】
４つの支持部２９は、連結部２７を支持する部分である。４つの支持部２９は、連結部２７の後面の周縁部（例えば上辺側縁部及び下辺側縁部の各々の左右両側の位置）に設けられ、連結部２７の後方に突出している。４つの支持部２９は、固定カバー２２の４つの段差凹部２２ｎに１対１に対応すると共に、固定カバー２２の４つの第１突出部２２ｄに１対１に対応する。４つの支持部２９は、対応する段差凹部２２ｎの底面に配置されて、対応する第１突出部２２ｄに嵌り合う（図９参照）。これにより、光制御部材２４は、固定カバー２２の前側に、位置決めされて配置される。
【００４４】
各支持部２９は、支持部本体２９ａと、接触部２９ｂとを有する。支持部本体２９ａは、連結部２７と接触部２９ｂと連結する部分であり、連結部２７の後面の周縁部から後方に突出している。接触部２９ｂは、固定カバー２２の対応する段差凹部２２ｎの底面に配置される部分である。接触部２９ｂは、支持部本体２９ａの先端部から光制御部材２４の外周側に突出している。接触部２９ｂの先端部には、例えばＵ字形の切欠部２９ｃ（第１位置決め部）が設けられている。４つの支持部２９の接触部２９ｂが、対応する段差凹部２２ｎの底面に配置されると、接触部２９ｂの切欠部２９ｃに、対応する第１突出部２２ｄが嵌る。これにより、光制御部材２４が固定カバー２２の前側に、位置決めされて配置される（図９参照）。
【００４５】
ヒートシンク６は、図１及び図２に示すように、各光源ユニット２Ｌ，２Ｒの発光モジュール２１で発生した熱を外部に放熱する部材である。ヒートシンク６は、熱伝導性を有する部材（例えば金属、具体的には例えばアルミニウム又はアルミ合金）で形成されている。ヒートシンク６は、ベース部６１と、複数の放熱フィン６２とを有する。ベース部６１及び複数の放熱フィン６２は、一体に形成されている。ベース部６１は、例えば矩形の平板状である。ベース部６１は、前面６１ｓ（第１主面）と後面６１ｋ（第２主面）とを有する。後面６１ｋは、前面６１ｓの反対側の主面である。ベース部６１の前面６１ｓは、カバー３の平面視形状と略同形同大の形状である。各放熱フィン６２は、例えば矩形の薄板状に形成されている。複数の放熱フィン６２は、ベース部６１の後面６１ｋから後方に突出している。複数枚の放熱フィン６２は、厚み方向を左右方向に一致させて、互いに間隔を空けて並んでいる。複数の放熱フィン６２は、ベース部６１の上端から下端まで、上下方向に延びている。
【００４６】
ヒートシンク６の前面６１ｓは、ベース部６１の前面によって構成されている。また、ベース部６１の後面６１ｋは、ヒートシンク６の後面を構成している。以後、ベース部６１の前面をベース部６１の前面６１ｓと記載し、ヒートシンク６の後面をヒートシンク６の後面６１ｋと記載する。
【００４７】
なお、本実施形態では、図８Ａ及び図８Ｂに示すように、ベース部６１の左右両端は、後方に突出した突出部６１ｚを有する。ベース部６１の後面６１ｋは、ベース部６１の左右両端の突出部６１ｚで挟まれた領域である。
【００４８】
ベース部６１は、図８Ａ及び図８Ｂに示すように、ベース部６１の前面６１ｓの部位に応じて、厚肉部６１ｇと薄肉部６１ｈとを有する。厚肉部６１ｇは、ベース部６１における厚さｄ１が相対的に大きい部分である。薄肉部６１ｈは、ベース部６１における厚さｄ１が相対的に小さい部分である。厚さｄ１は、ベース部６１の前面６１ｓに垂直な方向の厚さである。複数の放熱フィン６２のうちの一部の放熱フィン６２Ｔは、ベース部６１の厚肉部６１ｇから突出されている。
【００４９】
なお、ベース部６１の前面６１ｓは、平坦面である。このため、厚肉部６１ｇでのベース部６１の後面６１ｋの高さＨ１は、薄肉部６１ｈでのベース部６１の後面６１ｋの高さＨ２よりも大きくなっている。なお、後面６１ｋの高さＨ１，Ｈ２は、ベース部６１の前面６１ｓからの高さである。
【００５０】
このように、ベース部６１が厚肉部６１ｇと薄肉部６１ｈとを有することで、ヒートシンク６の放熱性を確保しつつ、ヒートシンク６を軽量化（すなわち照明ユニットＳＵ２を軽量化）できる。すなわち、厚肉部６１ｇによってヒートシンク６の容量を確保でき、これにより、ヒートシンク６の放熱性を確保できる。また、薄肉部６１ｈによってヒートシンク６を軽量化できる。
【００５１】
本実施形態では、例えば、厚肉部６１ｇ及び薄肉部６１ｈは、ベース部６１の左右方向に交互に配置されている。各厚肉部６１ｇ及び各薄肉部６１ｈはそれぞれ、ベース部６１の上端から下端まで一定の厚さで形成されている。本実施形態では、各厚肉部６１ｇの厚さｄ１は、互いに同じであるが、必ずしも互いに同じである必要はない。同様に、各薄肉部６１ｈの厚さｄ１も、互いに同じであるが、必ずしも互いに同じである必要はない。
【００５２】
ベース部６１は、図７に示すように、ベース部６１の前面６１ｓに、複数（例えば１２個）の第１カバー固定部６１ａ（カバー固定部）と、複数（例えば４個）の第２カバー固定部６１ｂ（カバー固定部）とを有する。また、ベース部６１は、ベース部６１の前面６１ｓに、複数（例えば２つ）の位置決め穴６１ｃと、複数の固定部６１ｄとを有する。
【００５３】
複数の第１カバー固定部６１ａは、２つの光源ユニット２Ｌ，２Ｒの各々の固定カバー２２（より詳細には複数の第１固定部２２ｂ）が固定される部分である。複数の第１カバー固定部６１ａは、ベース部６１の前面６１ｓにおいて、２つの光源ユニット２Ｌ，２Ｒの各々の複数の第１固定部２２ｂが配置される部位に設けられている。より詳細には、複数の第１カバー固定部６１ａは、ベース部６１の前面６１ｓの２つの領域Ｒ１、Ｒ２の各々の上辺側縁部及び下辺側縁部に例えば３つずつ設けられている。領域Ｒ１は、光源ユニット２Ｌの固定カバー２２が配置される領域である。領域Ｒ２は、光源ユニット２Ｒの固定カバー２２が配置される領域である。複数の第１カバー固定部６１ａは、２つの光源ユニット２Ｌ，２Ｒの複数の第１固定部２２ｂに１対１に対応している。各第１カバー固定部６１ａには、ねじ穴６１ａ１が設けられている。ねじ穴６１ａ１は、対応する第１固定部２２ｂの貫通孔２２ｐを通ったねじがねじ込まれるねじ孔である。
【００５４】
複数の第２カバー固定部６１ｂは、２つの光源ユニット２Ｌ，２Ｒの各々の固定カバー２２（より詳細には複数の第２固定部２２ｃ）が固定される部分である。複数の第２カバー固定部６１ｂは、ベース部６１の前面６１ｓにおいて、２つの光源ユニット２Ｌ，２Ｒの各々の複数の第２固定部２２ｃが配置される部位に設けられている。より詳細には、複数の第２カバー固定部６１ｂは、ベース部６１の前面６１ｓの２つの領域Ｒ１，Ｒ２の各々の中央の左右両側の位置に、１つずつ設けられている。複数の第２カバー固定部６１ｂは、２つの光源ユニット２の複数の第２固定部２２ｃに１対１に対応している。各第２カバー固定部６１ｂには、ねじ穴６１ｂ１が設けられている。ねじ穴６１ｂ１は、対応する第２固定部２２ｃの貫通孔２２ｑを通ったねじがねじ込まれるねじ孔である。
【００５５】
複数の位置決め穴６１ｃは、２つの光源ユニット２Ｌ，２Ｒの各々の固定カバー２２の複数の位置決め突部２２ｕが嵌る穴である。複数の位置決め穴６１ｃは、２つの光源ユニット２Ｌ，２Ｒの複数の位置決め突部２２ｕに１対１に対応し、対応する位置決め突部２２ｕが配置する部位に設けられている。より詳細には、複数の位置決め穴６１ｃは、ベース部６１の前面６１ｓの領域Ｒ１では、上辺側縁部の右端部、及び、下辺側縁部の左端部に１つずつ設けられている。また、複数の位置決め穴６１ｃは、ベース部６１の前面６１ｓの領域Ｒ２では、上辺側縁部の左端部、及び、下辺側縁部の右端部に１つずつ設けられている。
【００５６】
複数の固定部６１ｄは、押え部材５（より詳細には後述の複数の固定部５１ｓ）が固定される部分である。複数の固定部６１ｄは、ベース部６１の前面６１ｓにおいて、押え部材５の複数の固定部５１ｓが配置される部位（すなわちベース部６１の前面６１ｓの周縁部）に設けられている。複数の固定部６１ｄは、押え部材５の複数の固定部５１ｓに１対１に対応している。各固定部６１ｄには、ねじ穴６１ｄ１が設けられている。ねじ穴６１ｄ１は、対応する固定部５１ｓの後述の貫通孔５１ａを通ったねじがねじ込まれるねじ孔である。
【００５７】
なお、複数の固定部６１ｄのうち、ベース部６１の前面６１ｓの上辺側縁部及び下辺側縁部に設けられた固定部６１ｄを固定部６１ｅとも記載し、前面６１ｓの左辺側縁部及び右辺側縁部に設けられた固定部６１ｄを固定部６１ｆとも記載する。なお、前面６１ｓの４つの角部のうち、左辺の上下両端の２つの角部は、前面６１ｓの左辺側縁部に含まれ、前面６１ｓの右辺の上下両端の２つの角部は、前面６１ｓの右辺側縁部に含まれるものとする。
【００５８】
図７に示すように、複数の第１カバー固定部６１ａ、複数の第２カバー固定部６１ｂ及び複数の固定部６１ｅは、ベース部６１の前面６１ｓのうちの厚肉部６１ｇに設けられている。すなわち、複数の第１カバー固定部６１ａ、複数の第２カバー固定部６１ｂ及び複数の固定部６１ｅの各々に設けられたねじ穴６１ａ１，６１ｂ１，６１ｄ１は、ベース部６１の厚肉部６１ｇに設けられている。これにより、第１カバー固定部６１ａ及び第２カバー固定部６１ｂでのベース部６１の厚さｄ１を、固定カバー２２を固定するのに十分な厚さに確保できる。また、固定部６１ｅでのベース部６１の厚さｄ１を、押え部材５を固定するのに十分な厚さに確保できる。
【００５９】
光源ユニット２Ｌは、図３及び図９に示すように、ベース部６１の前面６１ｓの領域Ｒ１にねじで固定されている。
【００６０】
より詳細には、光源ユニット２Ｌの熱伝導シート２３、発光モジュール２１、固定カバー２２及び光制御部材２４は、この順で、ベース部６１の前面６１ｓの領域Ｒ１において、重ねられて配置されている。この配置状態では、固定カバー２２の２つの段差突部２２ｖ（図４Ｂ参照）は、発光モジュール２１の２つの開口部２１ｃ（図３参照）に嵌っている。これにより、発光モジュール２１は、固定カバー２２の収容凹部２２ｔ（図４Ｂ参照）内において、位置決めされて収容されている。また、熱伝導シート２３の輪郭は、固定カバー２２の収容凹部２２ｔの輪郭に合致して嵌っている。これにより、熱伝導シート２３は、固定カバー２２の収容凹部２２ｔ内において、位置決めされて収容されている。また、固定カバー２２の複数の位置決め突部２２ｕ（図４Ｂ参照）は、ベース部６１の前面６１ｓの領域Ｒ１内の複数の位置決め穴６１ｃ（図７参照）に嵌っている。これにより、固定カバー２２は、ベース部６１の前面６１ｓの領域Ｒ１に位置決めされて配置されている。
【００６１】
また、上記の配置状態では、光制御部材２４の複数の支持部２９の接触部２９ｂ（図９参照）は、固定カバー２２の前面２２ｍにおいて、対応する段差凹部２２ｎの底面に配置されている。そして、各段差凹部２２ｎの底面の第１突出部２２ｄは、対応する接触部２９ｂの切欠部２９ｃ内に嵌っている。これにより、光制御部材２４は、固定カバー２２の前側において、位置決めされて配置されている。また、光制御部材２４の位置決め部２８の先端部２８ａ（図６Ｂ参照）は、固定カバー２２の突出部２２ｅの中心穴２２ｓ（図４Ａ参照）に嵌っている。これにより、光制御部材２４は、固定カバー２２の前側において、更に精度良く位置決めされて配置されている。
【００６２】
そして、上記の配置状態で、固定カバー２２の複数の第１固定部２２ｂ（図４Ａ参照）は、ベース部６１の前面６１ｓの領域Ｒ１内の複数の第１カバー固定部６１ａ（図７参照）にねじで固定されている。具体的には、複数の第１固定部２２ｂのうち、第１突出部２２ｄが設けられていない第１固定部２２ｂでは、各ねじＮ１が、各第１固定部２２ｂの貫通孔２２ｐを通って、対応する第１カバー固定部６１ａのねじ穴６１ａ１にねじ込まれている（図９参照）。他方、第１突出部２２ｄが設けられた第１固定部２２ｂでは、各ねじＮ２が、各第１突出部２２ｄの貫通孔２２ｒ及び対応する第１固定部２２ｂの貫通孔２２ｐを通って、対応する第１カバー固定部６１ａのねじ穴６１ａ１にねじ込まれている（図９参照）。
【００６３】
また、上記の配置状態で、固定カバー２２の複数の第２固定部２２ｃ（図４Ａ参照）は、ベース部６１の前面６１ｓの領域Ｒ１内の複数の第２カバー固定部６１ｂ（図７参照）にねじで固定されている。具体的には、各ねじＮ３が、各第２固定部２２ｃの貫通孔２２ｑを通って、対応する第２カバー固定部６１ｂのねじ穴６１ｂ１にねじ込まれている（図９参照）。
【００６４】
このように、各ねじＮ１，Ｎ２，Ｎ３によって、光源ユニット２Ｌの固定カバー２２は、ベース部６１の前面６１ｓの領域Ｒ１に固定されている。また、ねじＮ２によって、光源ユニット２Ｌの光制御部材２４は、固定カバー２２と一緒にベース部６１の前面６１ｓに固定されている。各ねじＮ１，Ｎ２、Ｎ３がねじ込まれる各ねじ穴６１ａ１，６１ｂ１は、ヒートシンク６の厚肉部６１ｇに設けられている。このため、各ねじＮ１，Ｎ２、Ｎ３をヒートシンク６に十分に深くまでねじ込むことができる。この結果、光源ユニット２Ｌを十分に大きな固定力でヒートシンク６に固定できる。
【００６５】
光源ユニット２Ｒも、光源ユニット２Ｌと同様に、ベース部６１の前面６１ｓの領域Ｒ２に固定されている。
【００６６】
カバー３は、図１に示すように、２つの光源ユニット２Ｌ，２Ｒを覆う部材である。カバー３は、ヒートシンク６の前面６１ｓに固定されている。カバー３は、透光性を有する樹脂材料（例えばポリカーボネート樹脂）で形成されている。これにより、各光源ユニット２Ｌ，２Ｒから放射された光を透光可能である。
【００６７】
カバー３は、図３に示すように、カバー本体３１と、鍔部３２とを有する。カバー本体３１及び鍔部３２は、一体に形成されている。カバー本体３１は、一面（後面）が開口する矩形箱状に形成されている。カバー本体３１の開口の開口面は、ヒートシンク６の前面６１ｓよりも一回り小さい矩形状に形成されている。鍔部３２は、カバー本体３１の開口する一面の周縁から全周にわたって外向きに突出している。鍔部３２は、ヒートシンク６の前面６１ｓと同程度の大きさの矩形の枠状に形成されている。鍔部３２は、カバー本体３１の開口する一面の周縁から全周にわたって外向きに突出している。
【００６８】
防水パッキン４は、図１及び図３に示すように、カバー３の鍔部３２とヒートシンク６との間を密閉する部材である。防水パッキン４は、電気絶縁性を有する弾性材料（例えばシリコーンゴム）によって矩形の枠状に形成されている。防水パッキン４は、凹溝４ａを有する。凹溝４ａは、カバー３の鍔部３２が嵌る部分である。凹溝４ａは、防水パッキン４の内周面において周方向全体にわたって形成されている。防水パッキン４は、カバー３の鍔部３２が凹溝４ａ内に嵌るように、カバー３に取り付けられる。
【００６９】
カバー３は、図１に示すように、その鍔部３２に防水パッキン４が取り付けられた状態で、ヒートシンク６の前面６１ｓに配置される。この状態で、カバー３は、ヒートシンク６の前面６１ｓに配置された２つの光源ユニット２Ｌ，２Ｒを覆う。
【００７０】
押え部材５は、図１に示すように、カバー３をヒートシンク６の前面６１ｓに固定する部材である。押え部材５は、防水パッキン４よりも一回り大きい矩形の枠状である。押え部材５は、金属板（例えばステンレス鋼板）で形成されている。押え部材５は、基部５１と、側部５２と、を有する。基部５１及び側部５２は、一体に形成されている。基部５１は、カバー３の鍔部３２の前面に防水パッキン４を介して配置される部分である。基部５１は、例えば矩形環形の板状に形成されている。側部５２は、カバー３の鍔部３２の外周側に配置される部分である。側部５２は、基部５１の外周縁から基部５１の後面側に突出し、且つ基部５１の外周の全周にわたって形成されている。
【００７１】
基部５１は、図３に示すように、複数の固定部５１ｓを有する。複数の固定部５１ｓは、ヒートシンク６の前面６１ｓの複数の固定部６１ｄに固定される部分である。複数の固定部５１ｓは、互いに間隔を空けて基部５１の全周にわたって設けられている。各固定部５１ｓには、押え部材５をヒートシンク６に固定（締結）するためのねじが通る貫通孔５１ａが設けられている。複数の固定部５１ｓは、ヒートシンク６の複数の固定部６１ｄに１対１に対応している。
【００７２】
基部５１は、一対の横辺部５１Ｈと、一対の縦辺部５１Ｖとを有する。複数の固定部５１ｓのうち、一対の横辺部５１Ｈに設けられた固定部５１ｓを固定部５１ｔとも記載し、一対の縦辺部５１Ｖに設けられた固定部５１ｓを固定部５１ｕとも記載する。固定部５１ｔは、ヒートシンク６の複数の固定部６１ｄのうちの固定部６１ｅに固定される。固定部５１ｕは、ヒートシンク６の複数の固定部６１ｄのうちの固定部６１ｆに固定される。
【００７３】
押え部材５は、図１に示すように、ヒートシンク６の前面（すなわちベース部６１の前面）６１ｓに固定されている。この固定状態では、押え部材５は、カバー３の鍔部３２に取り付けられた防水パッキン４の前面に重ねられている。また、押え部材５の複数の固定部５１ｓは、ヒートシンク６の前面６１ｓの複数の固定部６１ｄ（図７参照）にねじで固定されている。更に詳細には、各ねじＮ４が、押え部材５の各固定部５１ｓの貫通孔５１ａを通って、ヒートシンク６の対応する固定部６１ｄのねじ穴６１ｄ１にねじ込まれている。このように、押え部材５がヒートシンク６の前面６１ｓに固定されることで、カバー３がヒートシンク６の前面６１ｓに固定されている。ねじＮ４がにねじ込まれるねじ穴６１ｄ１は、ヒートシンク６の厚肉部６１ｇに設けられている。このため、各ねじＮ４をヒートシンク６に十分に深くまでねじ込むことができる。この結果、押さ部材５を十分に大きな固定力でヒートシンク６に固定できる。
【００７４】
（照明ユニットＳＵ１）
照明ユニットＳＵ１は、図１に示すように、２つの照明ユニットＳＵ２を上下に並べて配置し、それら２つの照明ユニットＳＵ２の各々のヒートシンク６を一体化した照明ユニットである。したがって、照明ユニットＳＵ１は、４つの光源ユニット２（２Ａ，２Ｂ，２Ｃ，２Ｄ）と、２つのカバー３（３Ａ、３Ｂ）と、２つの防水パッキン４（４Ａ，４Ｂ）と、２つの押え部材５（５Ａ，５Ｂ）と、１つのヒートシンク１００と、を備えている。
【００７５】
ヒートシンク１００は、照明ユニットＳＵ２のヒートシンク６において上下方向の長さを２倍にしたヒートシンクである。ヒートシンク１００は、ベース部１０１と、複数の放熱フィン１０２とを有する。ベース部１０１は、照明ユニットＳＵ２のベース部６１において、上下方向の長さを２倍にした部材である。複数の放熱フィン１０２は、照明ユニットＳＵ２の複数の放熱フィン６２と同様に、ベース部１０１の後面１０１ｋに設けられている。
【００７６】
４つの光源ユニット２（２Ａ〜２Ｄ）の各々は、照明ユニットＳＵ２の光源ユニット２と同様に構成されている。４つの光源ユニット２は、ヒートシンク６の前面６１ｓにおいて、例えば縦横に並べて配置されている。より詳細には、４つの光源ユニット２は、ヒートシンク６の前面６１ｓおいて、横方向に光源ユニット２が２つ並べられ、縦方向に光源ユニット２が２つ並べられている。すなわち、４つの光源ユニット２は、ヒートシンク６の前面６１ｓにおいて、上下２段に配列されている。その配列の上段には、２つの光源ユニット２Ａ，２Ｃが左右に並べられており、下段には、２つの光源ユニット２Ｂ，２Ｄが左右に並べられている。
【００７７】
２つのカバー３（３Ａ，３Ｂ）の各々は、４つの光源ユニット２のうち２つの光源ユニット２をまとめて覆う。具合的には、上側のカバー３Ａは、４つの光源ユニット２のうち上段に並ぶ２つの光源ユニット２Ａ，２Ｃをまとめて覆う。下側のカバー３Ｂは、４つの光源ユニット２のうち下段に並ぶ２つの光源ユニット２Ｂ，２Ｄをまとめて覆う。
【００７８】
本実施形態では、照明ユニットＳＵ１は、照明ユニットＳＵ２の下側に間隔１２０を空けて配置されている。
【００７９】
（連結部材１１０）
２つの連結部材１１０は、図１及び図２に示すように、上述のように照明ユニットＳＵ１，ＳＵ２が配置するように、照明ユニットＳＵ１，ＳＵ２を互いに連結する部材である。２つの連結部材１１０のうち、一方の連結部材１１０Ｒは、照明ユニットＳＵ１，ＳＵ２の右側に配置されて、各照明ユニットＳＵ１，ＳＵ２に跨って連結されている（図１参照）。他方の連結部材１１０Ｌは、各照明ユニットＳＵ１，ＳＵ２の左側に配置されて、各照明ユニットＳＵ１，ＳＵ２に跨って連結されている（図２参照）。すなわち、２つの連結部材１１０Ｌ，１１０Ｒは、照明ユニットＳＵ１，ＳＵ２の各々の側方に配置されて、各照明ユニットＳＵ１，ＳＵ２を互いに連結している。なお、上記の「側方」とは、照明ユニットＳＵ１における光源ユニット２が設けれた面（すなわち前面）６１ｓにおいて、照明ユニットＳＵ１，ＳＵ２が並ぶ方向（すなわち上下方向）に直交する方向（すなわち左右方向）である。各連結部材１１０Ｒ，１１０Ｌは、互いに左右対称に形成されている。
【００８０】
各連結部材１１０Ｒ，１１０Ｌはそれぞれ、図１及び図２に示すように、基板部１１１と、前側板部１１２と、後側板部１１３とを有する。基板部１１１は、上下方向に延びた板状であり、中央部１１１ａと、上側部１１１ｂと、下側部１１１ｃとを有する。中央部１１１ａは、基板部１１１における長手方向（上下方向）の中央部分である。中央部１１１ａは、上側部１１１ｂ及び下側部１１１ｃよりも前方に幅広である。上側部１１１ｂは、基板部１１１における中央部１１１ａよりも上側の部分である。下側部１１１ｃは、基板部１１１における中央部１１１ａよりも下側の部分である。前側板部１１２は、中央部１１１ａの前辺部に設けられ、各連結部材１１０Ｌ，１１０Ｒの対向方向に突出している。後側板部１１３は、基板部１１１の後辺部に設けられ、前側板部１１２と同じ側に突出している。
【００８１】
各連結部材１１０Ｒ，１１０Ｌはそれぞれ、基板部１１１及び後側板部１１３に複数の貫通孔を有する。図１及び図２に示すように、各ねじＮ１０が、基板部１１１の上記の貫通孔を通って、各ヒートシンク６，１００のねじ孔にねじ込まれている。また、図２に示すように、各ねじＮ１１が、後側板部１１３の上記の貫通孔を通って、各ヒートシンク６，１００のねじ孔にねじ込まれている。このように、２つの連結部材１１０Ｒ，１１０Ｌは、各ヒートシンク６，１００の各々の側方に配置されて、各ヒートシンク６，１００を互いに連結している。また、このように、連結部材１１０Ｌ，１１０Ｒがヒートシンク６，１００に対して、ねじＮ１０，Ｎ１１で、２方向（基板部１１１側と後側板部１１３側の２方向）からねじ止めされている。このため、連結部材１１０Ｌ，１１０Ｒとヒートシンク６，１００とを、安定して強固に連結できる。なお、さらに、前側板部１１２側から連結部材１１０Ｌ，１１０Ｒとヒートシンク６，１００とをねじでねじ止めすることで、３方向からねじ止めしてもよい。
【００８２】
一方の連結部材１１０Ｒは、図１に示すように、上下方向に沿って、照明ユニットＳＵ２のベース部６１の右端部６１Ｒと、照明ユニットＳＵ１のベース部１０１の右端部１０１Ｒとに跨って連結されている。この連結状態で、一方の連結部材１１０Ｒの中央部１１１ａは、各照明ユニットＳＵ１，ＳＵ２の間の空間１２０の右側に配置されている。一方の連結部材１１０Ｒの前側板部１１２は、各照明ユニットＳＵ１，ＳＵ２の前側から、上下方向に沿って、照明ユニットＳＵ１の押え部材５Ａの右部と、照明ユニットＳＵ２の押え部材５の右部とに跨って配置されている。一方の連結部材１１０Ｒの後側板部１１３は、各照明ユニットＳＵ１，ＳＵ２の後側から、上下方向に沿って、照明ユニットＳＵ２の後面６１ｋの右縁部と、照明ユニットＳＵ１の後面１０１ｋの右縁部とに跨って配置されている。
【００８３】
他方の連結部材１１０Ｌは、図２に示すように、上下方向に沿って、照明ユニットＳＵ２のベース部６１の左端部６１Ｌと、照明ユニットＳＵ１のベース部１０１の左端部１０１Ｌとに跨って連結されている。この連結状態で、他方の連結部材１１０Ｌの中央部１１１ａは、照明ユニットＳＵ１の左端部１０１Ｌの略上半部分に配置されている。すなわち、他方の連結部材１１０Ｌは、一方の連結部材１１０Ｒよりも下方にずれて配置されている。他方の連結部材１１０Ｌの前側板部１１２は、照明ユニットＳＵ１の前側から、照明ユニットＳＵ１の押え部材５Ａの左部に配置されている。他方の連結部材１１０Ｌの後側板部１１３は、各照明ユニットＳＵ１，ＳＵ２の後側から、上下方向に沿って、照明ユニットＳＵ２の後面６１ｋの左縁部と、照明ユニットＳＵ１の後面１０１ｋの左縁部とに跨って配置されている。
【００８４】
このように、連結部材１１０Ｒの前側板部１１２は、各照明ユニットＳＵ１，ＳＵ２の前側に配置され、各連結部材１１０Ｒ，１１０Ｌの後側板部１１３は、各照明ユニットＳＵ１，ＳＵ２の後側に配置されている。このように、連結部材１１０Ｒ，１１０Ｌが形成されることで、構造的に、各照明ユニットＳＵ１，ＳＵ２のベース部１０１，６１が、互いに平行な状態に固定されている。この結果、各照明ユニットＳＵ１，ＳＵ２の光軸Ｌ１，Ｌ２が、互いに平行な状態に固定されている。すなわち、照明ユニットＳＵ２は、照明ユニットＳＵ１に対して可動できないように固定されている。
【００８５】
なお、本実施形態では、２つの連結部材１１０Ｌ，１１０Ｒは、上述のように、互いに上下方向にずれて配置されているが、互いに上下方向にずれないで配置されてもよい。その場合は、２つの連結部材１１０Ｌ，１１０Ｒの中央部１１１ａはそれぞれ、空間１２０の左右両側に配置されてもよいし、照明ユニットＳＵ１の上半部分の左右両側に配置されてもよい。
【００８６】
（支持部材８）
支持部材８は、図１及び図２に示すように、スタジアム等における所定の設置場所に固定された状態で、照明ユニットＳＵ１，ＳＵ２を回転軸線Ｇ１周りに回転可能に支持する部材である。回転軸線Ｇ１は、照明ユニットＳＵ１の左右方向に延びている。より詳細には、回転軸線Ｇ１は、例えば、複数の照明ユニットＳＵ１，ＳＵ２、電源ボックス１８及び結線ボックス１９の全体の重心（すなわち質量中心）を通って、照明ユニットＳＵ１の左右方向に延びている。本実施形態では、回転軸線Ｇ１は、例えば、照明ユニットＳＵ１における、上下方向の長さの中心を通りかつ前後方向の幅における中心よりも後側にずれた位置を通って、照明ユニットＳＵ１の左右方向に延びている。
【００８７】
このように回転軸線Ｇ１が設定されることで、照明ユニットＳＵ１の姿勢が回転軸線Ｇ１周りに傾けられた場合、回転軸線Ｇ１周りに作用するトルクが低減され、その傾いた姿勢を安定して維持できる。また、支持部材８の後述のアーム片１３Ｌ，１３Ｒの長さが長くなり過ぎることを抑制でき、アーム片１３Ｌ，１３Ｒの強度低下を抑制できる。また、照明ユニットＳＵ１と支持部材８との連結位置が照明ユニットＳＵ２に位置しないため、アーム片１３Ｌ，１３Ｒの位置が上がり過ぎず、照明ユニットＳＵ１の点検作業が容易である。
【００８８】
支持部材８は、図１０に示すように、２つの連結部材９（９Ｌ，９Ｒ）と、２つの固定部材１０と、アーム部材１１と、目盛板１５（図２参照）と、を備えている。
【００８９】
２つの連結部材９は、図１及び図２に示すように、対応する連結部材１１０と２つの固定部材１０とを連結する部材である。また、２つの連結部材９は、アーム部材１１と回転軸線Ｇ１周りに回転可能に連結する部材である。２つの連結部材９は、ヒートシンク６の左右両側に配置されている。より詳細には、２つの連結部材９のうち、一方の連結部材９Ｌは、ヒートシンク６の左側に配置され、連結部材１１０Ｌと２つの固定部材１０の左端部とを連結する（図２参照）。他方の連結部材９Ｒは、ヒートシンク６の右側に配置され、連結部材１１０Ｒと２つの固定部材１０の右端部とを連結する（図１参照）。２つの連結部材９は、金属（例えばステンレス）で形成されている。
【００９０】
連結部材９Ｒは、図１０に示すように、台部９１と支持部９２とを有する。台部９１は、連結部材１１０Ｒに連結される部分である。支持部９２は、２つの固定部材１０の右端部が連結される共に、アーム部材１１が回転可能に連結される部分である。
【００９１】
台部９１は、第１板部９３と第２板部９４とを有する。第１板部９３及び第２板部９４はともに上下方向に延びた矩形板状である。第１板部９３は、連結部材１１０Ｒの基板部１１１に重なる部分である。第２板部９４は、連結部材１１０Ｒの後側板部１１３に重なる部分である。第２板部９４は、第１板部９３の後辺部から他方の連結部材９Ｌ側に突出している。第１板部９３は、複数の貫通孔９３ａを有し、第２板部９４は、複数の貫通孔９４ａを有する。
【００９２】
支持部９２は、例えば略台形の壁状に形成され、台部９１の後面（すなわち第２板部９４の後面）から後方に突出している。支持部９２の後端部の上下両端部９２ｂには、例えばねじによって、２つの固定部材１０の右端部が連結されている。支持部９２の外側面には、ボス部９２ａが設けられている。ボス部９２ａは、アーム部材１１が回転可能に連結される部分である。
【００９３】
連結部材９Ｌは、連結部材９Ｒと左右対称に形成されている。より詳細には、連結部材９Ｌは、連結部材９Ｒと同様に、台部９１と支持部９２とを有する。連結部材９Ｌの台部９１は、連結部材９Ｒの台部９１と同様に、第１板部９３と第２板部９４とを有する。連結部材９Ｌの第１板部９３及び第２板部９４も、連結部材９Ｒの第１板部９３及び第２板部９４と同様に、複数の貫通孔を有する。
【００９４】
連結部材９Ｒが連結部材１１０Ｒに連結された状態では、図１及び図１０に示すように、台部９１の第１板部９３及び第２板部９４（図１０参照）はそれぞれ、連結部材１１０の基板部１１１及び後側板部１１３（図１０参照）に重なっている。この状態で、ねじＮ１１ａ（図１０参照）が、連結部材９Ｒの第２板部９４の貫通孔９４ａ（図１０参照）及び連結部材１１０Ｒの後側板部１１３の貫通孔１１０ｕ（図１０参照）を通って、ヒートシンク６にねじ込まれている。また、ねじＮ１０ａ（図１０参照）が、連結部材９Ｒの第１板部９３の貫通孔９３ａ（図１０参照）及び連結部材１１０Ｒの基板部１１１の貫通孔１１０ｖを通って、ヒートシンク６にねじ込まれている。このように、連結部材９Ｒは、ねじＮ１０ａ，Ｎ１１ａによって、連結部材１１０Ｒと一緒にヒートシンク６に連結されている。同様に、連結部材９Ｌは、図２に示すように、ねじＮ１０ａ，Ｎ１１ａによって、連結部材１１０Ｌと一緒にヒートシンク６に連結されている。この連結状態で、連結部材９Ｒ，９Ｌの各々の支持部９２は、ヒートシンク６の放熱フィン６２よりも後方に延びている。
【００９５】
２つの固定部材１０は、図２及び図１０に示すように、電源ボックス１８が固定される部分である。各固定部材１０は、例えば、左右方向に延びた棒状であり、金属板（例えばステンレス鋼板）で形成されている。２つの固定部材１０の各々の左右両端部は、上述のように、連結部材９Ｒ，９Ｌに連結されている。この連結状態で、２つの固定部材１０は、ヒートシンク６の後側に配置されている。また、２つの固定部材１０は、互いに上下方向に間隔を空けて配置されている。電源ボックス１８は、２つの固定部材１０の後側に配置されて、例えばねじによって、２つの固定部材１０に固定されている。なお、本実施形態では、固定部材１０の数は、２つであるが、１つであっても、３つ以上であってもよい。また、固定部材１０の形状は、棒状であるが、板状であってもよい。
【００９６】
アーム部材１１は、図２及び図１０に示すように、スタジアム等における所定の設置場所に固定された状態で、２つの連結部材９Ｌ，９Ｒのボス部９２ａ（図１０参照）に回転可能に連結される部分である。アーム部材１１は、金属（例えばステンレス鋼）で形成されている。アーム部材１１は、固定板１２と、２つのアーム片１３Ｌ，１３Ｒとを有する。すなわち、支持部材８は、固定板１２と、アーム片１３Ｌ，１３Ｒと、を備えている。固定板１２及び２つのアーム片１３Ｌ，１３Ｒは、一体に形成されている。
【００９７】
固定板１２は、スタジアム等における所定の設置場所に固定される部分である。固定板１２は、例えば矩形の板状に形成されている。図１０に示すように、固定板１２は、挿通孔１２ａと長孔１２ｂとを有する。挿通孔１２ａは、ねじを通すための円形状の孔である。長孔１２ｂは、ねじを通す孔であって、挿通孔１２ａを中心とする半円弧状の長孔である。挿通孔１２ａ及び長孔１２ｂの各々には、ねじが通って、それら各ねじは上記の所定の設置場所にねじ込まれる。これにより、固定板１２が上記の所定の設置場所に固定される。固定板１２は、挿通孔１２ａに通されたねじの周りに回転可能である。
【００９８】
２つのアーム片１３Ｌ，１３Ｒの各々は、図１０に示すように、例えば矩形の板状である。アーム片１３Ｌは、固定板１２の左辺部から上方に曲がって延び、かつ前方に傾斜して延びている。アーム片１３Ｌの先端部は、図２に示すように、例えばねじＮ８によって、連結部材９Ｌのボス部９２ａ（図１０参照）の中心孔を通って、照明ユニットＳＵ１の左側面（例えばヒートシンク６の左側面）に回転可能に連結されている。また、アーム片１３Ｒは、図１に示すように、アーム片１３Ｌと左右対称な形に形成されている。すなわち、アーム片１３Ｒは、固定板１２の右辺部から上方に曲がって延び、かつ前方に傾斜して延びている。アーム片１３Ｒの先端部は、例えばねじＮ９によって、連結部材９Ｒのボス部９２ａの中心孔を通って、照明ユニットＳＵ１の右側面（例えばヒートシンク６の右側面）に回転可能に連結されている。ボス部９２ａの上記の中心孔は、回転軸線Ｇ１に同心状に設けられている。このように、各アーム片１３Ｌ，１３Ｒはそれぞれ、ねじＮ８，Ｎ９によって、各連結部材９Ｌ，９Ｒのボス部９２ａに回転軸線Ｇ１周りに回転可能に連結されている。
【００９９】
このように、各アーム片１３Ｌ，１３Ｒが各連結部材９Ｌ，９Ｒに連結された状態では、図１及び図２に示すように、各アーム片１３Ｌ，１３Ｒはそれぞれ、ヒートシンク６の左右両側（すなわち照明ユニットＳＵ１の左右両側）に配置されている。また、アーム片１３Ｌの両側の主面１３Ｌａ及びアーム片１３Ｒの両側の主面１３Ｒａは、照明ユニットＳＵ１の光軸Ｌ１が固定板１２に平行なときの光軸Ｌ１に平行である。なお、照明ユニットＳＵ１の光軸Ｌ１は、照明ユニットＳＵ１のヒートシンク１００の前面１００ｓから垂直に前方を向いている。
【０１００】
したがって、光軸Ｌ１が固定板１２に平行なときの光軸Ｌ１に沿った方向から見ると（例えば照明器具１の正面から見ると）、観測者からは、各アーム片１３Ｌ，１３Ｒは、それらの厚さしか見えない。これにより、各アーム片１３Ｌ，１３Ｒの配置スペースは、照明ユニットＳＵ１の左右方向に関しては、各アーム片１３Ｌ，１３Ｒの厚さ分の大きさで足りるため、照明器具１のコンパクト化に寄与できる。
【０１０１】
目盛板１５は、図２に示すように、照明ユニットＳＵ１，ＳＵ２における回転軸線Ｇ１周りの傾斜角度を示す部材である。目盛板１５は、金属板（例えばステンレス鋼板）で形成されている。目盛板１５は、円盤状に形成されている。目盛板１５は、２つのアーム片１３Ｌ，１３Ｒのうちの一方（図示例ではアーム片１３Ｌ）に取り付けられる。目盛板１５は、ねじＮ８を中心とする角度の目盛が刻印されている。これにより、照明器具１では、照明ユニットＳＵ１，ＳＵ２の傾きを精度良く調節することが可能である。
【０１０２】
電源ボックス１８は、図２に示すように、外部電源（例えば商用電源）から供給された交流電力から、照明器具１用の直流電力を生成する装置である。電源ボックス１８は、ねじ等によって、支持部材８の２つの固定部材１０に固定されている。すなわち、電源ボックス１８は、ヒートシンク６の後側に配置されている。この固定状態では、照明ユニットＳＵ３の後側から見て、電源ボックス１８は、各照明ユニットＳＵ１，ＳＵ２の後面６１ｋ，１１０ｋを合わせた全範囲の範囲（すなわち照明ユニットＳＵ３の輪郭の範囲）内に配置されている。電源ボックス１８は、各照明ユニットＳＵ１，ＳＵ２の後面６１ｋ，１１０ｋに跨って配置されている。照明ユニットＳＵ１の後面６１ｋとは、ベース部６１の後面であり、照明ユニットＳＵ２の後面１１０ｋとは、ベース部１０１の後面である。
【０１０３】
結線ボックス１９は、図２に示すように、照明ユニットＳＵ１，ＳＵ２の光源ユニット２と電気的に接続された電源ケーブル（電線）と、電源ボックス１８の電源回路に電気的に接続された電源ケーブル（電線）とを互いに電気的に接続する。結線ボックス１９は、ねじ等によって、電源ボックス１８の後面１８ｂに固定されている。この固定状態では、照明ユニットＳＵ１の後面６１ｋ側から見て、結線ボックス１９は、照明ユニットＳＵ１の後面６１ｋ（すなわちヒートシンク６の後面６１ｋ）の範囲内に配置されている。また、結線ボックス１９は、電源ボックス１８の後面１８ｂの範囲内に配置されている。
【０１０４】
（実施形態１の変形例）
本実施形態では、２つの照明ユニットＳＵ１，ＳＵ２が連結部材１１０で連結されたが、３つ以上の照明ユニットが連結部材で連結されてもよい。
【０１０５】
また、本実施形態では、照明ユニットＳＵ１は４つの光源ユニット２を備え、照明ユニットＳＵ２は２つの光源ユニット２を備えたが、照明ユニットＳＵ１，ＳＵ２が備える光源ユニット２の数は、１つ以上であれば、幾つでもよい。
【０１０６】
また、本実施形態では、照明ユニットＳＵ１では、４つの光源ユニット２は、上下方向に光源ユニット２が２つ並び、左右方向に光源ユニット２が２つ並んだ。また、照明ユニットＳＵ１では、２つの光源ユニット２が横一列に配列された。照明ユニットＳＵ１，ＳＵ２内での光源ユニットの配列は、このように限定されない。例えば、照明ユニットＳＵ１，ＳＵ２内での光源ユニット２の配列は、上下方向に光源ユニット２が３つ以上並んでもよいし、左右方向に光源ユニット２が１つ又は３つ以上並んでもよい。
【０１０７】
また、本実施形態では、複数の照明ユニットＳＵ１，ＳＵ２が備えられたため、それら複数の照明ユニットを連結する連結部材１１０が備えられたが、照明ユニットが１つだけの場合は、連結部材１１０は、省略されてもよい。この場合、支持部材８は、ヒートシンク６に直接連結される。
【０１０８】
（まとめ）
以上説明したように、第１の態様に係る照明ユニット（ＳＵ２）は、ヒートシンク（６）と、回路基板（２１ｂ）と、を備えている。回路基板（２１ｂ）は、複数の発光部（２１ａ）が設けられている。ヒートシンク（６）は、第１主面（６１ｓ）及び第２主面（６１ｋ）を有する。第２主面（６１ｋ）は、第１主面（６１ｓ）の反対側に配置されている。ヒートシンク（６）は、ベース部（６１）と、複数の放熱フィン（６２）と、を有する。ベース部（６１）は、第１主面（６１ｓ）に回路基板（２１ｂ）が配置されている。複数の放熱フィン（６２）は、第２主面（６１ｋ）から突出されている。ベース部（６１）は、厚肉部（６１ｇ）と、薄肉部（６１ｈ）と、を有する。厚肉部（６１ｇ）は、第１主面（６１ｓ）に垂直な方向の厚さが相対的に大きい。薄肉部（６１ｈ）は、厚さが相対的に小さい。
【０１０９】
この構成によれば、ベース部（６１）の厚肉部（６１ｇ）によってヒートシンク（６）の容量を確保できる。これにより、ヒートシンク（６）の放熱性を確保できる。また、ベース部（６１）の薄肉部（６１ｈ）によってヒートシンク（６）を軽量化できる。この結果、照明ユニット（ＳＵ２）の放熱性能を確保しつつ軽量化できる。
【０１１０】
第２の態様に係る照明ユニット（ＳＵ２）は、第１の態様において、固定カバー（２２）を更に備えている。固定カバー（２２）は、回路基板（２１ｂ）をヒートシンク（６）との間で挟み込んで固定する。固定カバー（２２）は、ベース部（６１）の第１主面（６１ｓ）に固定されている。ベース部（６１）は、カバー固定部（６１ａ，６１ｂ）を有する。カバー固定部（６１ａ，６１ｂ）は、固定カバー（２２）が固定される。カバー固定部（６１ａ，６１ｂ）は、ベース部（６１）の厚肉部（６１ｇ）に設けられている。
【０１１１】
この構成によれば、カバー固定部（６１ａ，６１ｂ）がベース部（６１）の厚肉部（６１ｇ）に設けられるため、カバー固定部（６１ａ，６１ｂ）でのベース部（６１）の厚さを、固定カバー（２２）を固定するのに十分な厚さに確保できる。
【０１１２】
第３の態様に係る照明ユニット（ＳＵ２）では、第１又は第２の態様において、複数の放熱フィン（６２）のうちの少なくとも一部の放熱フィン（６２Ｔ）は、ベース部（６１）の厚肉部（６１ｇ）から突出されている。
【０１１３】
この構成によれば、回路基板（２１ｂ）からベース部（６１）の厚肉部（６１ｇ）に伝達した熱を、ベース部（６１）の厚肉部（６１ｇ）から突出された放熱フィン（６２）から効果的に放熱できる。この結果、ヒートシンク（６）の放熱性を向上できる。
【０１１４】
第４の態様に係る照明ユニット（ＳＵ２）では、第２又は第３の態様において、固定カバー（２２）は、固定カバー本体（２２ａ）と、固定部（２２ｂ）と、を有する。固定部（２２ｂ）は、固定カバー本体（２２ａ）の周縁部に設けられ、ベース部（６１）のカバー固定部（６１ａ）に固定される。
【０１１５】
この構成によれば、固定カバー（２２）の周縁部に固定部（２２ｂ）が設けられるため、固定カバー（２２）をヒートシンク（６）に固定する固定力を、固定カバー（２２）全体に効果的に作用させることができる。これにより、固定カバー（２２）によって、回路基板（２１ｂ）の全体をヒートシンク（６）に効果的に押し付けることができる。
【０１１６】
第５の態様に係る照明ユニット（ＳＵ２）では、第４の態様において、固定カバー（２２）の表面（２２ｍ）は、２つの対辺（Ｈ１，Ｈ２）と、接続辺（Ｈ４）と、を有する。２つの対辺（Ｈ１，Ｈ２）は、互いに対向する。接続辺（Ｈ４）は、２つの対辺（Ｈ１，Ｈ２）の各々の一端部と接続する。固定カバー（２２）の固定部（２２ｂ）は、固定カバー（２２）における２つの対辺（Ｈ１，Ｈ２）の側の縁部に設けられている。固定カバー（２２）は、リブ（２２ｆ）を更に有する。リブ（２２ｆ）は、表面（２２ｍ）の接続辺（Ｈ４）に沿って設けられている。
【０１１７】
この構成によれば、接続辺（Ｈ４）に設けられたリブ（２２ｆ）によって、固定カバー（２２）の固定部（２２ｂ）をヒートシンク（６）に固定する固定力を、固定カバー（２２）の表面（２２ｍ）全体に効果的に作用させることができる。これにより、固定カバー（２２）全体で回路基板（２１ｂ）を効果的にヒートシンク（６）に押し付けることができる。また、固定カバー（２２）における接続辺（Ｈ４）の縁部に、固定部（２２ｂ）を設ける必要が無くなり、その分、固定カバー（２２）を小型化できる。
【０１１８】
第６の態様に係る照明ユニット（ＳＵ２）では、第５の態様において、固定部（２２ｂ）を第１固定部（２２ｂ）とする。固定カバー（２２）は、複数の窓孔（２２ｉ）と、第２固定部（２２ｃ）と、を更に有する。複数の窓孔（２２ｉ）は、複数の発光部（２１ａ）を露出する。第２固定部（２２ｃ）は、複数の窓孔（２２ｉ）の間に設けられ、ベース部（６１）のカバー固定部（６１ｂ）に固定される。
【０１１９】
この構成によれば、固定カバー（２２）における複数の窓孔（２２ｉ）の間（すなわち複数の発光部（２１ａ）の間）の部位をヒートシンク（６）に効果的に固定できる。これにより、固定カバー（２２）によって、回路基板（２１ｂ）における複数の発光部（２１ａ）の間の部位を効果的にヒートシンク（６）に押し付けることができる。
【０１２０】
第７の態様に係る照明ユニット（ＳＵ２）では、第４〜第６の態様の何れか１つの態様において、固定カバー（２２）は、突出部（２２ｄ）を有する。突出部（２２ｄ）は、固定部（２２ｂ）から表面（２２ｍ）側に突出されている。
【０１２１】
この構成によれば、複数の発光部（２１ａ）の各々が発した光を制御する光制御部材（２４）を固定カバー（２２）の前側に配置させる場合、固定部（２２ｂ）から突出された突出部（２２ｄ）を、光制御部材（２４）を位置決めする位置決め部として利用できる。また、固定カバー（２２）における固定部（２２ｂ）の位置で光制御部材（２４）を位置決めできる。
【０１２２】
第８の態様に係る照明ユニット（ＳＵ２）では、第７の態様において、突出部（２２ｄ）を第１突出部（２２ｄ）とする。固定カバー（２２）は、第２突出部（２２ｅ）を更に有する。第２突出部（２２ｅ）は、固定カバー（２２）の中央に、固定カバー（２２）の表面（２２ｍ）側に突出されている。
【０１２３】
この構成によれば、複数の発光部（２１ａ）の各々が発した光を制御する光制御部材（２４）を固定カバー（２２）の前側に配置させる場合、第２突出部（２２ｅ）を、光制御部材（２４）を位置決めする位置決め部として利用できる。また、固定カバー（２２）の表面（２２ｍ）の中央位置で光制御部材（２４）を位置決めできる。
【０１２４】
第９の態様に係る照明ユニット（ＳＵ２）では、第８の態様において、光制御部材（２４）を更に備えている。光制御部材（２４）は、固定カバー（２２）における表面（２２ｍ）の側に配置され、複数の発光部（２１ａ）の各々が発した光を制御する。光制御部材（２４）は、第１位置決め部（２９ｃ）と、第２位置決め部（２８）と、を有する。第１位置決め部（２９ｃ）は、固定カバー（２２）の第１突出部（２２ｄ）に嵌る。第２位置決め部（２８）は、固定カバー（２２）の第２突出部（２２ｅ）に嵌る。
【０１２５】
この構成によれば、固定カバー（２２）を利用して光制御部材（２４）を位置決めできる。また、固定カバー（２２）は、第１位置決め部（２９ｃ）に加えて第２位置決め部（２８）を備えるため、より精度良く、固定カバー（２２）によって光制御部材（２４）を位置決めできる。
【０１２６】
第１０の態様に係る照明器具（１）では、照明ユニット（ＳＵ２）と、支持部材（８）と、備えている。照明ユニット（ＳＵ２）は、第１〜第９の態様の何れかの１つの態様に記載の照明ユニットである。支持部材（８）は、照明ユニット（ＳＵ２）を支持する。
【０１２７】
この構成によれば、上記の照明ユニット（ＳＵ２）の効果を奏する照明器具（１）を提供できる。
【符号の説明】
【０１２８】
１  照明器具
６  ヒートシンク
８  支持部材
２１ａ  発光部
２１ｂ  回路基板
２２  固定カバー
２２ａ  固定カバー本体
２２ｂ  第１固定部（固定部）
２２ｃ  第２固定部
２２ｄ  第１突出部（突出部）
２２ｅ  第２突出部
２２ｆ  リブ
２２ｉ  窓孔
２２ｍ  前面（正面）
２４  光制御部材
２８  位置決め部
２９ｃ  切欠部（位置決め部）
６１  ベース部
６１ａ  第１カバー固定部（カバー固定部）
６１ｂ  第２カバー固定部（カバー固定部）
６１ｇ  厚肉部
６１ｈ  薄肉部
６２，６２Ｔ  放熱フィン
６１ｓ  前面（第１主面）
６１ｋ  後面（第２主面）
Ｈ１  上辺（対辺）
Ｈ２  下辺（対辺）
Ｈ４  右辺（接続辺）
ＳＵ２  照明ユニット
【図１】
2020004667.tif 000003
【図２】
2020004667.tif 000004
【図３】
2020004667.tif 000005
【図４】
2020004667.tif 000006
【図５】
2020004667.tif 000007
【図６】
2020004667.tif 000008
【図７】
2020004667.tif 000009
【図８】
2020004667.tif 000010
【図９】
2020004667.tif 000011
【図１０】
2020004667.tif 000012